(57)【要約】      （修正有）【課題】不使用時における収容作業が容易な遮熱板を提供する。【解決手段】本考案に係る遮熱板１００は、径方向の中央に貫通孔が設けられ、且つ、板状に形成された円環部１と、円環部の外周縁１３から、円環部の裏側に向けて延びる複数の脚部２と、を備えている。貫通孔１５は、燃料ボンベの上部に嵌合可能である。複数の脚部は、燃料ボンベの底部の外側面に嵌合可能である。これにより、遮熱板の不使用時において、遮熱板の収容作業が容易になる。【選択図】図１
0003232578.tif 000002
【実用新案登録請求の範囲】
【請求項１】
径方向の中央に貫通孔が設けられ、且つ、板状に形成された円環部と、
前記円環部の外周縁から、当該円環部の裏側に向けて延びる複数の脚部と、を備え、
前記貫通孔は、燃料ボンベの上部に嵌合可能であり、
前記複数の脚部は、前記燃料ボンベの底部の外側面に嵌合可能である、
遮熱板。
【請求項２】
前記円環部の裏面には、
前記貫通孔を外周側から取り囲み、且つ、裏側に向けて突出する円筒部が設けられる、
請求項１に記載の遮熱板。
【請求項３】
前記複数の脚部のそれぞれは、
前記円環部の外周縁から裏側に向けて延びる基部と、
前記基部の先端で折り曲がって径方向の外側に向けて延びる屈曲部と、を有する、
請求項１または２に記載の遮熱板。
【考案の詳細な説明】
【技術分野】
【０００１】
本考案は、遮熱板に関する。
【背景技術】
【０００２】
例えば、バーナーやカセットコンロ等の燃焼装置には、燃料が封入された燃料ボンベが設けられる。なべやフライパンなどの調理器具を燃焼装置の上に載せると、調理器具からの輻射熱によって燃料ボンベが高温になる。従って、燃料ボンベが加熱されることを抑制するため、燃料ボンベを遮熱板で覆う技術が公知である（例えば、特許文献１参照）。
【先行技術文献】
【特許文献】
【０００３】
【特許文献１】特開２０１９−６０５０１号公報
【考案の概要】
【考案が解決しようとする課題】
【０００４】
しかしながら、燃料ボンベを収容する際、遮熱板を燃料ボンベと別に収容するため、収容作業が面倒であるという問題がある。
【０００５】
本考案の目的は、収容作業が容易な遮熱板を提供することである。
【課題を解決するための手段】
【０００６】
前述した課題を解決し、目的を達成するために、本考案の一態様に係る遮熱板は、径方向の中央に貫通孔が設けられ、且つ、板状に形成された円環部と、前記円環部の外周縁から、当該円環部の裏側に向けて延びる複数の脚部と、を備え、前記貫通孔は、燃料ボンベの上部に嵌合可能であり、前記複数の脚部は、前記燃料ボンベの底部の外側面に嵌合可能である。
【考案の効果】
【０００７】
遮熱板を使用するときには、燃料ボンベの上部に嵌合可能であり、遮熱板を使用しないときには、燃料ボンベの底部の外側面に嵌合することができる。従って、本考案によれば、不使用時における収容作業が容易な遮熱板を提供することが可能となる。
【図面の簡単な説明】
【０００８】
【図１】図１は、第１実施形態による遮熱板を斜め裏側から見た斜視図である。
【図２】図２は、図１の遮熱板を裏側から見た背面図である。
【図３】図３は、図１の遮熱板を表側から見た平面図である。
【図４】図４は、図１の遮熱板を燃料ボンベの上部に装着した状態を示す斜視図である。
【図５】図５は、図４を上側から見た平面図である。
【図６】図６は、図１の遮熱板を燃料ボンベの底部に装着した状態を示す斜視図である。
【図７】図７は、図６の状態から燃料ボンベを持ち上げた状態を示す斜視図である。
【図８】図８は、図６の燃料ボンベを上下反対にして、燃料ボンベの底部を上側に配置した状態を示す斜視図である。
【図９】図９は、第２実施形態による遮熱板を斜め裏側から見た斜視図である。
【図１０】図１０は、図９の遮熱板を裏側から見た背面図である。
【図１１】図１１は、図９の遮熱板を表側から見た平面図である。
【図１２】図１２は、図９の遮熱板を側方から見た側面図である。
【図１３】図１３は、図９の遮熱板を燃料ボンベの上部に装着した状態を示す斜視図である。
【図１４】図１４は、図９の遮熱板を燃料ボンベの底部に装着した状態を示す斜視図である。
【考案を実施するための形態】
【０００９】
本考案を実施するための実施形態について、図面を参照しつつ詳細に説明する。以下の実施形態に記載した内容により本考案が限定されるものではない。また、本考案の要旨を逸脱しない範囲で構成の種々の省略、置換又は変更を行うことができる。なお、図面において、脚部が設けられる側を遮熱板の裏側とし、脚部がない側を遮熱板の表側とする。
【００１０】
［第１実施形態］
まず、第１実施形態による遮熱板について説明する。図１は、第１実施形態による遮熱板を斜め裏側から見た斜視図である。図２は、図１の遮熱板を裏側から見た背面図である。図３は、図１の遮熱板を表側から見た平面図である。
【００１１】
図１から図３に示すように、遮熱板１００は、円環部１と、複数の脚部２と、を備える。本実施形態では、脚部２は４つ設けられる。遮熱板１００は、例えば金属製である。
【００１２】
図１から図３に示すように、円環部１の外周縁１３および内周縁１４は、同心円である。即ち、外周縁１３および内周縁１４の円の中心は一致し、内周縁１４の円の外側に外周縁１３が配置される。円環部１は、径方向の中央に円形の貫通孔１５を有するため、内周縁１４は、貫通孔１５の縁である。円環部１は、平板状であるため、表面１１と裏面１２とを有する。
【００１３】
図１に示すように、４つの脚部２は、円環部１の外周縁１３から、円環部１の裏側に向けて延びる。４つの脚部２は、例えば、第１の脚部２１、第２の脚部２２、第３の脚部２３および第４の脚部２４である。脚部２は、基部２５と、屈曲部２６と、を有する。基部２５は、端部２５１（円環部１の外周縁１３）から裏側に向けて延びる。端部２５１は、円環部１の外周縁１３の一部である。基部２５と円環部１との交差角は、例えば、約９０度（直角）である。屈曲部２６は、基部２５の端部２５２で折り曲がって、円環部１の径方向の外側に向けて斜め方向に延びる。換言すると、屈曲部２６は、先端２６１に向かうに従って径方向の中央から離れる方向に屈曲する。屈曲部２６の先端２６１は半円状である。また、４つの脚部２（第１の脚部２１、第２の脚部２２、第３の脚部２３および第４の脚部２４）は、外周縁１３の周方向に沿って等間隔に配置される。なお、本考案は、脚部２の数は４つに限定されず、例えば３つまたは５つ以上であってもよい。また、複数の脚部２は、周方向に沿って等間隔に配置されなくてもよい。
【００１４】
図４は、図１の遮熱板を燃料ボンベの上部に装着した状態を示す斜視図である。図５は、図４を上側から見た平面図である。
【００１５】
図４に示すように、燃料ボンベ２００は、上端部２１０と、側面２２０と、テーパ部２２１と、底部２３１と、底部側面２３０と、を有する。ここで、底部側面２３０は、底部２３１の外側面である。上端部２１０、側面２２０および底部側面２３０は、円筒状である。底部側面２３０の径が最も大きく、側面２２０の径は底部側面２３０の径よりも小さく、上端部２１０の径が最も小さい。テーパ部２２１は、側面２２０の上側に配置される。テーパ部２２１は、上側に向かうに従って径が小さくなる。換言すると、テーパ部２２１は、上側に向かうに従って先細りする。
【００１６】
図５に示すように、上端部２１０は、環状突起２１１と、凸部２１２と、火口２１３と、を有する。環状突起２１１は、円環状であり、上側に突出する。環状突起２１１の内周側には、底面２１４が配置される。底面２１４の内周側には、凸部２１２が上側に向けて突出する。凸部２１２には、火口２１３が形成される。火口２１３は、円形の貫通孔であり、火口２１３から炎が吹き出る。そして、図５に示すように、遮熱板１００の内周縁１４が環状突起２１１に嵌合可能である。つまり、遮熱板１００を使用するときには、遮熱板１００の表面１１を上側にした状態で、遮熱板１００の内周縁１４を環状突起２１１に嵌合させることにより、遮熱板１００を燃料ボンベ２００の上端部２１０に固定する。
【００１７】
図６は、図１の遮熱板を燃料ボンベの底部に装着した状態を示す斜視図である。図７は、図６の状態から燃料ボンベを持ち上げた状態を示す斜視図である。図８は、図６の燃料ボンベを上下反対にして、燃料ボンベの底部を上側に配置した状態を示す斜視図である。
【００１８】
図６から図８に示すように、遮熱板１００は、燃料ボンベ２００の底部２３１（下端部）に保持可能である。具体的には、４つの脚部２（第１の脚部２１、第２の脚部２２、第３の脚部２３および第４の脚部２４）は、燃料ボンベ２００の底部側面２３０の外周側に嵌合可能である。
【００１９】
次に、遮熱板１００を燃料ボンベ２００の底部２３１に保持させる手順を簡単に説明する。まず、図１に示すように、円環部１の裏面１２を上側に配置した状態でテーブル等の上に遮熱板１００を載置する。次いで、燃料ボンベ２００を把持し、燃料ボンベ２００の底部２３１を４つの脚部２（第１の脚部２１、第２の脚部２２、第３の脚部２３および第４の脚部２４）に嵌合させる。具体的には、燃料ボンベ２００の底部２３１を、４つの脚部２の屈曲部２６の内周側に配置し、そのまま下降させる。４つの屈曲部２６は、上側に向かうに従って径方向の外側に広がっているため、４つの屈曲部２６は、燃料ボンベ２００の底部２３１が挿入される際にガイドの機能を有する。そして、燃料ボンベ２００の底部２３１の下端が遮熱板１００の円環部１の裏面１２に当接すると、４つの脚部２の基部２５で燃料ボンベ２００の底部２３１が保持される。なお、図７に示すように、遮熱板１００を燃料ボンベ２００に保持させたままの状態において、手指３００で燃料ボンベ２００を把持し、燃料ボンベ２００を持ち上げても遮熱板１００は落下しない。
【００２０】
以上説明したように、第１実施形態の遮熱板１００は、径方向の中央に貫通孔１５が設けられ、且つ、板状に形成された円環部１と、円環部１の外周縁１３から、円環部１の裏側に向けて延びる複数の脚部２（第１の脚部２１、第２の脚部２２、第３の脚部２３および第４の脚部２４）と、を備える。貫通孔１５は、燃料ボンベ２００の上端部２１０に嵌合可能であり、複数の脚部２は、燃料ボンベ２００の底部側面２３０に嵌合可能である。
【００２１】
従って、遮熱板１００を使用するときには、燃料ボンベ２００の上端部２１０に嵌合可能であり、遮熱板１００を使用しないときには、燃料ボンベ２００の底部側面２３０に嵌合することができる。従って、本実施形態によれば、不使用時における収容作業が容易な遮熱板１００を提供することが可能となる。
【００２２】
複数の脚部２（（第１の脚部２１、第２の脚部２２、第３の脚部２３および第４の脚部２４））のそれぞれは、円環部１の外周縁１３から裏側に向けて延びる基部２５と、基部２５の端部２５２で折り曲がって径方向の外側に向けて延びる屈曲部２６と、を有する。
【００２３】
従って、円環部１の裏面１２を上側に配置した状態では、４つの屈曲部２６は、上側に向かうに従って径方向の外側に広がっている。このため、４つの屈曲部２６は、燃料ボンベ２００の底部２３１が挿入される際にガイドの機能を有するので、燃料ボンベ２００の底部２３１に遮熱板１００を容易に装着することが可能となる。
【００２４】
［第２実施形態］
次に、第２実施形態に係る遮熱板について説明する。第２実施形態に係る遮熱板は、第１実施形態に係る遮熱板に対して円筒部が設けられる点が相違する。以下に詳細に説明する。ただし、第１実施形態の遮熱板１００と同一構成の部位には、同一符号を付けて説明を省略する。図９は、第２実施形態による遮熱板を斜め裏側から見た斜視図である。図１０は、図９の遮熱板を裏側から見た背面図である。図１１は、図９の遮熱板を表側から見た平面図である。図１２は、図９の遮熱板を側方から見た側面図である。
【００２５】
図９および図１０に示すように、第２実施形態による遮熱板１００Ａは、円環部１と、複数の脚部２と、円筒部４と、を備える。
【００２６】
図９および図１０に示すように、円筒部４は、円環部１の裏面１２から裏面側に向けて突出する。円筒部４は、軸方向に沿って、端４１と、本体部４２と、端４３とを有する。端４１は、円環部１の裏面１２に固定されるリング状の端部である。端４３は、円環部１の裏面１２から最も遠い位置に配置されるリング状の端部である。本体部４２は、端４１から端４３まで軸方向に延び、且つ、円筒形状を有する。また、円筒部４は、裏側から見た状態で円形である。外周縁１３および内周縁１４も裏側から見た状態で円形である。従って、外周縁１３、内周縁１４および円筒部４は、同心円である。円筒部４は、内周縁１４の外周側に配置され、貫通孔１５を外周側から取り囲む。従って、円筒部４の径は、内周縁１４の径よりも大きく、且つ、外周縁１３の径よりも小さい。
【００２７】
また、図１２に示すように、脚部２は、基部２５と、屈曲部２６と、を有する。第１実施形態では、基部２５と円環部１との交差角を約９０度（直角）とした。しかし、第２実施形態では、基部２５と円環部１との交差角θを９０度未満としている。基部２５と円環部１との交差角θを９０度未満とすることにより、４つの基部２５で燃料ボンベ２００の下端部を挟み込んで燃料ボンベ２００を挟持する際の挟持力が大きくなる。
【００２８】
図１３は、図９の遮熱板を燃料ボンベの上部に装着した状態を示す斜視図である。図１４は、図９の遮熱板を燃料ボンベの底部に装着した状態を示す斜視図である。
【００２９】
図１２に示すように、燃料ボンベ２００のテーパ部２２１は、上側に向かうに従って径が小さくなる。また、遮熱板１００Ａを燃料ボンベ２００の上端部２１０に固定した状態において、円筒部４の端４３は、テーパ部２２１に近接するか、または、テーパ部２２１に接してる。
【００３０】
なお、第２実施形態においても、遮熱板１００Ａを使用するときには、遮熱板１００Ａの表面１１を上側にした状態で、遮熱板１００Ａの内周縁１４を環状突起２１１（図１４参照）に嵌合させることにより、遮熱板１００Ａを燃料ボンベ２００の上端部２１０に固定する。
【００３１】
また、図１４に示すように、遮熱板１００Ａは、燃料ボンベ２００の底部２３１に保持可能である。具体的には、４つの脚部２（第１の脚部２１、第２の脚部２２、第３の脚部２３および第４の脚部２４）は、燃料ボンベ２００の底部側面２３０の外周側に嵌合可能である。従って、遮熱板１００Ａを使用するときには、燃料ボンベ２００の上端部２１０に嵌合可能であり、遮熱板１００Ａを使用しないときには、燃料ボンベ２００の底部側面２３０に嵌合することができる。
【００３２】
以上説明したように、第２実施形態の遮熱板１００Ａは、円環部１の裏面１２に、貫通孔１５の外周側を取り囲み、且つ、裏側に向けて突出する円筒部４が設けられる。円筒部４の端４３は、テーパ部２２１に近接するか、または、テーパ部２２１に接するため、円筒部４は、燃料ボンベ２００に対する位置ずれ防止の機能を有する。具体的には、円筒部４は、燃料ボンベ２００に対する遮熱板１００Ａの径方向の位置ずれを抑制する機能を有する。また、第１実施形態と同様に、遮熱板１００Ａを使用するときには、燃料ボンベ２００の上端部２１０に嵌合可能であり、遮熱板１００Ａを使用しないときには、燃料ボンベ２００の底部側面２３０に嵌合することができる。従って、第２実施形態によっても、不使用時における収容作業が容易な遮熱板１００Ａを提供することが可能となる。
【符号の説明】
【００３３】
１００、１００Ａ  遮熱板
１  円環部
２  脚部
４  円筒部
１３  外周縁
１５  貫通孔
２１  第１の脚部（脚部）
２２  第２の脚部（脚部）
２３  第３の脚部（脚部）
２４  第４の脚部（脚部）
２５  基部
２６  屈曲部
２００  燃料ボンベ
２１０  上端部
２３０  底部側面（底部の外側面）
２３１  底部
２５２  端部
【図１】
0003232578.tif 000003
【図２】
0003232578.tif 000004
【図３】
0003232578.tif 000005
【図４】
0003232578.tif 000006
【図５】
0003232578.tif 000007
【図６】
0003232578.tif 000008
【図７】
0003232578.tif 000009
【図８】
0003232578.tif 000010
【図９】
0003232578.tif 000011
【図１０】
0003232578.tif 000012
【図１１】
0003232578.tif 000013
【図１２】
0003232578.tif 000014
【図１３】
0003232578.tif 000015
【図１４】
0003232578.tif 000016